(57)【要約】【課題】エレベーターの保全員が意識しなくとも点検作業の開始・終了登録フォローができるシステムを提供すること。【解決手段】複数の顧客建物内に設置されたエレベータ保守点検を行うための巡回スケジュール、および、顧客建物住所を管理する保全情報システム５と、エレベータの点検作業を実施する保全員が携帯し、作業開始・終了を登録することができ、位置情報を取得するためのＧＰＳ機能を有する携帯端末４と、保全情報システム５と携帯端末４は、メール・Ｗｅｂを利用して接続することができる手段を備え、保全情報システム５内の巡回スケジュールと携帯端末４の位置情報を組み合わせて保全員への作業開始・終了登録フォロー手段を設けた。【選択図】図１
2014051376.tif 000002
【特許請求の範囲】
【請求項１】
複数の顧客建物内に設置されたエレベータ保守点検を行うための巡回スケジュール、および、顧客建物住所を管理する保全情報システムと、
前記エレベータの点検作業を実施する保全員が携帯し作業開始・終了を登録することができ、位置情報を取得する位置情報取得機能を有する携帯端末と、
前記保全情報システムと前記携帯端末はメール・Ｗｅｂを利用して接続することができる手段を備えたエレベータ点検システムにおいて、
前記巡回スケジュールにより点検実施予定の顧客建物住所と前記携帯端末の位置情報が一致した場合に、保全員に対して点検作業開始登録を促すメール送信を行うことを特徴とするエレベータ点検システム。
【請求項２】
請求項１に記載のエレベータ点検システムにおいて、
点検作業開始後、点検中の顧客建物住所と前記携帯端末の位置情報が不一致の場合に、保全員に対して点検作業終了登録を促すメール送信を行うことを特徴とするエレベータ点検システム。
【発明の詳細な説明】
【技術分野】
【０００１】
本発明は、建物に設置されたエレベータの保守点検を管理するシステムに関する。
【背景技術】
【０００２】
エレベータは専門作業者により定期的な保守点検を実施し、エレベータの安全性や快適性を確保している。
【０００３】
エレベータ保守会社は、各エリアに存在する建物を巡回しながら保守点検を実施するに当たり、予め設定した保守巡回スケジュールを基に巡回を行い、建物に到着後はエレベータを保守運転モードに切替え、点検作業を実施する。保守終了後は通常運転モードに切替えて点検作業を完了する。また、点検作業開始時・終了時には作業実績として開始・完了時刻を記録している。
【０００４】
エレベータ点検方法においては、特開２００９−２８６５０３号公報に開示されているように、保全員が所有する携帯端末において点検作業開始時に作業開始メールを保守点検システムに送信することにより、エレベータと遠隔で接続することができる遠隔監視システムにて対象エレベータに保守運転モードヘの切替指令を送信する方法がある。また同様に、点検終了時に点検終了メールを送信することで対象エレベータに通常運転モードへの切替指令を送信する方法がある。あわせて、点検終了時に通常運転モードへの切替漏れを防止するため、予め設定した点検終了時間を超過した場合に、保守点検システムより保守員の携帯端末に点検終了メールの送信を促すメールを送信する方法がある。
【先行技術文献】
【特許文献】
【０００５】
【特許文献１】特開２００９−２８６５０３号公報
【発明の概要】
【発明が解決しようとする課題】
【０００６】
前記従来技術におけるエレベータ点検方法においては、あくまで保全員が送信するメールが起点となるため、点検対象エレベータが納められた建物への到着時刻を見越して適切なタイミングを保全員が調整しながら点検開始メールを送信しなければ効率的に点検作業開始が行えず、また、保全員それぞれによりタイミングが異なるため正確な作業開始時間を記録することができないという課題があった。
【０００７】
また、点検終了フォローにおいても、あくまで保全員が入力した作業終了予定に合わせて行われるものであり、点検作業が予定より早く終わった場合や、他顧客からの呼び出しなどにより点検中エレベータを離れる場合などは、フォローが適切になされず、保守運転モードのまま長時間放置される可能性があるという問題があった。
【０００８】
本発明はこのような従来技術の課題に鑑みなされたもので、保全員が意識しなくとも点検作業の開始・終了登録フォローができるシステムを提供することにある。
【課題を解決するための手段】
【０００９】
本発明は、上記目的を達成するため発明したもので、請求項１の発明は、
複数の顧客建物内に設置されたエレベータ保守点検を行うための巡回スケジュール、および、顧客建物住所を管理する保全情報システムと、
前記エレベータの点検作業を実施する保全員が携帯し作業開始・終了を登録することができ、位置情報を取得する位置情報取得機能を有する携帯端末と、
前記保全情報システムと前記携帯端末は、メール・Ｗｅｂを利用して接続することができる手段を備えたエレベータ点検システムにおいて、
前記巡回スケジュールにより点検実施予定の顧客建物住所と前記携帯。端末の位置情報が一致した場合に、保全員に対して点検作業開始登録を促すメールの送信を行うことを特徴とする。
【００１０】
このようにしたので、保全員が実際に点検対象のエレベータが納められた顧客建物に近づいたタイミングで点検開始フォローを行うことができ、より正確な点検作業開始時刻を記録することができる。
【００１１】
また、請求項２の発明は、
請求項１に記載のエレベータ点検システムにおいて、
点検作業開始後、点検中の顧客建物住所と前記携帯端末の位置情報が不一致の場合、保守員に対して点検作業終了登録を促すメール送信を行うことを特徴とする。
【００１２】
このようにしたので、保全員が点検対象のエレベータが納められた顧客建物を離れたタイミングで点検終了フォローを行うことができ、より正確な点検作業終了時刻を記録することができるとともに、エレベータを保守運転状態のままであれば復旧フォローすることもできる。
【発明の効果】
【００１３】
本発明によれば、予め作成した巡回スケジュールと実際の保全員の位置情報を組み合わせて利用することにより、正確な作業時間を把握することができるとともに、巡回スケジュールにおける各顧客建物間の移動時間も正確に把握することでき、作業計画作成の精度をあげることができる。
【００１４】
また、巡回スケジュールと保全員の位置情報に不整合が発生した場合、例えば、巡回スケジュールによる予定作業時間を超過しても保全員が顧客建物内にいる場合には、保全員の安否を確認フォローすることもできる。
【図面の簡単な説明】
【００１５】
【図１】本発明の一実施形態を示すエレベータ点検システムの構成を示すブロック図である。
【図２】本発明の一実施形態を示すエレベータ点検システムの処理を表すフローチャートである。
【発明を実施するための形態】
【００１６】
以下、本発明の一実施形態を図に基づいて説明する。図１は本発明の一実施形態を示すエレベータ点検システムの構成図、図２は本発明の一実施形態を示すエレベータ点検システムの処理フローチャートである。
【００１７】
まず、図１を参照して本実施形態に係るエレベータ点検システムの基本的な構成を説明する。
【００１８】
図１において、顧客建物１に設置されたエレベータ２の点検を行う保全員３は、常に、エレベータ２の点検履歴閲覧や実績登録を行うことができ、かつ、位置情報を示す位置情報取得機能を有する携帯端末４を所持している。この携帯端末４は図示しない無線ネットワークで、保全員３の所属する保守会社の点検計画や実績を管理する保全情報システム５に接続されている。この保全情報システム５は、保全員３の携帯する携帯端末４が保有する位置情報を定期的に読出す機能を有している。
【００１９】
以下、図１及び図２を併用して、本発明における第一の実施形態を説明する。
【００２０】
保守会社と顧客との契約によりエレベータの点検作業日が決定されると、保守会社は各顧客毎の点検作業日に合わせて巡回スケジュールを作成し、保全情報システム５に登録を行う。巡回スケジュールには、点検対象となるエレベータが納められた顧客建物１の住所・作業開始日時・作業終了予定日時・点検を実施する保全員３の情報が含まれる。
【００２１】
保全員３は携帯端末４により保全情報システム５に登録された巡回スケジュールを参照することができ、これに基づいて顧客建物１の巡回を行う。
【００２２】
保全情報システム５においては、登録された巡回スケジュールとともに、保全員３が所持する携帯端末４の位置情報を定期的に読出しチェックを行う。これにより、担当保全員３の位置情報が巡回スケジュールに含まれる顧客建物１の住所に近づいた場合に、対象エレベータの点検作業開始間近であると認知し、担当保全員３の携帯端末４に対して、作業開始要求メールを送信する。保全員３は作業開始要求メールに応じて携帯端末４に作業開始登録を行うと、保全情報システム５に作業開始時刻が記録される。
【００２３】
また、作業開始登録後、作業終了登録が行われていない状態において保全員３の位置情報が対象エレベータの住所から離れた場合、同様に携帯端末４に対して作業終了要求メールを送信する。
【００２４】
次に、図２のフローチャートを使用して、本発明の処理内容を説明する。
【００２５】
図２において、手順番号１００番台は保全情報システム５の処理を表し、手順番号２００番台は携帯端末４の処理を表す。
【００２６】
手順２００において、保全員３の所持する携帯端末４は携帯端末４の位置情報を衛星を利用した図示しない位置情報システムから読出し記憶する。
【００２７】
次に、手順１００において、保全情報システム５は、携帯端末４の位置情報を読み出す。保全情報システム５は、手順１００で読み出した携帯端末４の位置情報と予め作成された巡回スケジュールにより保全員３が点検予定の顧客建物１の位置情報との比較を行う（手順１０１)。
【００２８】
手順１０１の比較の結果、携帯端末４の位置情報と顧客建物１の位置情報が一致していない場合（手順１０２でＮＯ）、再度、手順１００を実施する。携帯端末４の位置情報と顧客建物１の位置情報が一致している場合（手順１０２でＹｅｓ）、保全員３が顧客建物１に到着または近づいていると認知し手順１０３を実施する。
【００２９】
手順１０３では、保全員３が顧客建物１に近づいており、まもなく作業開始されると想定されるため、作業開始登録を促す作業開始登録依頼メールを携帯端末４に送信する。
【００３０】
保全員３は携帯端末４にて作業開始登録依頼メールを受信（手順２０１）し、作業開始登録を行う（手順２０２）と、その結果、保全情報システム５に作業開始日時が記録される（手順１０４）。この間、携帯端末４は定期的に位置情報を取得し記憶する（手順２０３）。
【００３１】
手順１０５で、保全情報システム５は定期的に携帯端末４の位置情報を読出し、手順１０６で携帯端末４と顧客建物１の位置情報の比較を行い、不一致の場合（手順１０６でＮＯ）、保全員３は顧客建物１から離れたため点検作業が終了したか、または中断して他の建物に移動したと判断し、手順１０９を実施する。
【００３２】
また、携帯端末４の位置情報と顧客建物１の位置情報が一致している場合でも、保全情報システム５に予め登録されていた作業予定時間により、作業開始日時からの経過時間を測定し、作業終了時刻となっているかチェックを行い、作業終了時刻超過したにも関わらず保全員３の位置情報と顧客建物１の位置情報が一致している場合（手順１０６でＹｅｓ）は、作業が延長しているか、または保全員が怪我など移動できない状態である可能性があるため、手順１０７で予定時間の確認を実施し、予定時間内であれば（手順１０７でＹｅｓ）、再度手順１０５を実施する。
【００３３】
また、手順１０７で予定時間を超えた場合（手順１０７でＮＯ）、手順１０８で安否確認情報の付加を行い、手順１０９を実施する。
【００３４】
手順１０９にて、作業終了登録依頼メールを携帯端末４に送信する。
【００３５】
手順２０４で、作業終了登録依頼メールを受信した保全員３は、手順２０５で作業終了登録を行う。この結果、手順１１０にて、保全情報システム５に作業終了日時が記録、される。
【００３６】
このようにして巡回スケジュールと実際の保全員の位置情報を組み合わせて利用することにより、正確な作業時間を把握することができるとともに、巡回スケジュールにおける各顧客建物間の移動時間も正確に把握することでき、作業計画作成の精度をあげることができる。
【符号の説明】
【００３７】
１  顧客建物
２  エレベータ
３  保全員
４  携帯端末
５  保全情報システム
【図１】
2014051376.tif 000003
【図２】
2014051376.tif 000004